(57)【要約】【課題】ベルトが肩からすべり落ちるのを確実に防止することができ、しかも外観上も違和感がない肩掛けベルトのすべり止め具を提供する。【解決手段】ショルダーバッグなどの鞄類に装着される肩掛けベルトのすべり止め具であって、湾曲形状に形成された押さえ部３と、この押さえ部３の両端に設けられ、使用者が肩掛けベルトを肩に掛けたとき使用者の肩から下がる２つのベルト部分に、取り付けるための取付部４とを有する本体１と、取付部４をベルト部分に固定するための固定具２とを備えてなることを特徴とする。【選択図】図１
0003196392.tif 000002
【実用新案登録請求の範囲】
【請求項１】
ショルダーバッグなどの鞄類に装着される肩掛けベルトのすべり止め具であって、
湾曲形状に形成された押さえ部と、この押さえ部の両端に設けられ、
使用者が前記肩掛けベルトを肩に掛けたとき使用者の肩から下がる２つのベルト部分に、取り付けるための取付部とを有する本体と、
前記取付部を前記ベルト部分に固定するための固定具とを備えてなることを特徴とする肩掛けベルトのすべり止め具。
【請求項２】
前記取付部は互いに平行な１対の板部分を有し、溝を区画するコ字形に形成され、前記固定具は一方の板部分に設けられて、前記溝に挿入された前記ベルト部分を他方の板部分に向けて押し付けるものであることを特徴とする請求項１記載の肩掛けベルトのすべり止め具。
【請求項３】
前記固定具は前記一方の板部分に螺着されるネジからなることを特徴とする請求項２記載の肩掛けベルトのすべり止め具。
【請求項４】
前記固定具は前記一方の板部分に回転可能に中間部が支持された板状のクリップからなり、前記クリップはバネによって先端が前記一方の板部分に設けられた開口を通って他方の板部分に向かうように付勢されていることを特徴とする請求項２記載の肩掛けベルトのすべり止め具。
【請求項５】
前記取付部は板状に形成され、前記固定具は前記取付部に回転可能に中間部が支持され、前記取付部と対向する面に突起が設けられた板状のクリップからなり、前記クリップはバネによって前記突起が、該突起と前記取付部との間に挿入された前記ベルト部分を前記取付部に向けて押し付けるように付勢されていることを特徴とする請求項１記載の肩掛けベルトのすべり止め具。
【考案の詳細な説明】
【技術分野】
【０００１】
この考案は、肩掛けベルトのすべり止め具に関し、さらに詳細にはショルダーバッグなどの鞄類に用いられる肩掛けベルトが肩からすべり落ちるのを防止するためのすべり止め具に関する。
【背景技術】
【０００２】
鞄類の肩掛けベルトの使用方法として、鞄類と同じ側の肩にベルトを掛けて使用する方法と、たすき掛けのように鞄類と反対側の肩にベルトを掛けて使用する方法がある。後者による方法はベルトがすべり落ちることがないが、見栄えが良いとは言えない。他方、鞄類と同じ側の肩にベルトを掛けて使用する前者による方法は、見栄えが良いがベルトが肩から容易にすべり落ちるため、たびたび掛け直さなければならない。
【０００３】
従来、肩掛けベルトが肩からすべり落ちないように工夫した器具は幾つか提案されている（例えば特許文献１，２参照）。特許文献１記載の器具は、ベルトの肩に当たる部分に角度調節可能に肩すべり防止調節器具としてのパッドを設けたものである。この従来技術は、ベルトにかかる力を分散してすべり止めと肩の疲労を軽減させることを目的としているが、ベルトを肩に掛けたとき、通常の肩掛けベルトと同様に、ベルトが斜め下方に向けて方向づけられるため、すべり止め効果はほとんど得られないと考えられる。
【０００４】
特許文献２記載の器具は、肩掛けベルトに支点引き寄せベルトを取付け、この支点引き寄せベルトを使用者の胴体に装着することにより、肩掛けベルトがほぼ鉛直下方を向くようにしたものである。しかしながら、この従来技術は、例えばスーツを着用したビジネスマンが使用した場合、上着の上から支点引き寄せベルトで体を締め付けることになるので、見栄えが悪い。
【先行技術文献】
【特許文献】
【０００５】
【特許文献１】２０１１−４１７７６号公報
【特許文献２】２００５−２１１６３０号公報
【考案の概要】
【考案が解決しようとする課題】
【０００６】
この考案は上記のような技術的背景に基づいてなされたものであって、次の目的を達成するものである。
【０００７】
この考案の目的は、ベルトが肩からすべり落ちるのを確実に防止することができ、しかも外観上も違和感がない肩掛けベルトのすべり止め具を提供することにある。
【課題を解決するための手段】
【０００８】
この考案は上記課題を達成するために、次のような手段を採用している。
すなわち、この考案は、ショルダーバッグなどの鞄類に装着される肩掛けベルトのすべり止め具であって、
湾曲形状に形成された押さえ部と、この押さえ部の両端に設けられ、
使用者が前記肩掛けベルトを肩に掛けたとき使用者の肩から下がる２つのベルト部分に、取り付けるための取付部とを有する本体と、
前記取付部を前記ベルト部分に固定するための固定具とを備えてなることを特徴とする肩掛けベルトのすべり止め具にある。
【０００９】
より具体的には、前記取付部は互いに平行な１対の板部分を有し、溝を区画するコ字形に形成され、前記固定具は一方の板部分に設けられて、前記溝に挿入された前記ベルト部分を他方の板部分に向けて押し付けるものである。
【００１０】
前記固定具は前記一方の板部分に螺着されるネジからなる構成を採用することができる。あるいは、前記固定具は前記一方の板部分に回転可能に中間部が支持された板状のクリップからなり、前記クリップはバネによって先端が前記一方の板部分に設けられた開口を通って他方の板部分に向かうように付勢されている構成を採用することもできる。
【００１１】
さらに、前記取付部は板状に形成され、前記固定具は前記取付部に回転可能に中間部が支持され、前記取付部と対向する面に突起が設けられた板状のクリップからなり、前記クリップはバネによって前記突起が、該突起と前記取付部との間に挿入された前記ベルト部分を前記取付部に向けて押し付けるように付勢されている構成を採用することもできる。
【００１２】
なお、本明細書でいう鞄類とは鞄（バッグ）に限らず、篭、大工道具などの道具入れ、剣道具などの防具入れなど、肩掛けベルトによって携行する「入れ物」全般が含まれる概念である。
【考案の効果】
【００１３】
この考案によれば、ベルトが肩からすべり落ちるのを確実に防止することができ、しかも外観上も違和感がないものとすることができる。
【図面の簡単な説明】
【００１４】
【図１】この考案の実施形態であって、一部断面で示す平面図である。
【図２】同実施形態のものを一部断面で示す正面図である。
【図３】同実施形態のものの側面図である。
【図４】ショルダーバッグの肩掛けベルトに同実施形態のものを取り付けた状態を示す図である。
【図５】同実施形態のものの使用状態を示す図である。
【図６】固定具の別の実施形態を示す断面図である。
【図７】取付部及び固定具の別の実施形態を示す平面図である。
【考案を実施するための形態】
【００１５】
この考案の実施形態を図面を参照しながら以下に説明する。図１〜図３は、この考案によるすべり止め具の実施形態を示し、図１は一部断面で示す平面図、図２は一部断面で示す正面図、図３は側面図である。すべり止め具は本体１と、固定具２とからなる。
【００１６】
本体１は、湾曲形状に形成された押さえ部３と、この押さえ部３の両端に設けられた取付部４とからなる。ここで、湾曲形状とは、本明細書では弓形のように全体に円弧状となっている形状のみならず、図示の実施形態のように、中央部３ａが直線状、その両側部３ｂ，３ｂが屈曲されて円弧状又は直線状となっている底辺がない台形状のものも含む概念である。
【００１７】
本体１はこの実施形態では板状のものであり、例えばプラスチックなどの樹脂やアルミニウムなどの金属を成形することにより、押さえ部３及び取付部４を一体成形することができる。また、押さえ部４は板状とするに限らず棒状としてもよく、この場合押さえ部３と取付部４とを別途成形した後、両者を適宜手段により固着するようにしてもよい。
【００１８】
押さえ部３の両側部３ｂ，３ｂは強度を確保するため、取付部４に向かうにつれて肉厚が徐々に厚くなっている。取付部４はその中心線の延長と、押さえ部３の中央部３の中心線の延長とが直交するように形成されている。取付部４は互いに平行な１対の板部分４ａ，４ｂを有し、溝５を区画するコ字形に形成されている。固定具２は、この実施形態ではネジからなる。このネジ２を螺着するためのナット６がコ字形を形成する一方の板部分４ａ、すなわち内側の板部分４ａに設けられている。ナット６を設けずに、板部分４ａに直接雌ネジを創形するようにしてもよい。
【００１９】
上記すべり止め具は、図４に示すような態様でショルダーバッグの肩掛けベルトＢに取り付けられる。具体的には、すべり止め具は、使用者が肩掛けベルトＢを肩に掛けたとき、使用者の肩から下がる２つのベルト部分ｂ２，ｂ２に、押さえ部３の外面が使用者の胴体の外方を向き、しかもベルト部分ｂ２，ｂ２に対してほぼ垂直となるように取り付けられる（図５も併せて参照）。取付け位置は、使用者が肩掛けベルトＢを肩に掛けたとき、押さえ部３が腕付け根の下方にくる位置である。
【００２０】
取付けにあたっては、ベルト部分ｂ２を取付部４のコ字形の溝５に挿入し、ネジ２によってベルト部分ｂをコ字形を構成する他方の板部分４ｂに向けて押し付ける。これにより、本体１がその取付部４を介してベルト部分ｂ２，ｂ２に固定される。
【００２１】
使用者は、上記のようにしてすべり止め具を取り付けた肩掛けベルトＢを、その肩掛け部ｂ１と押さえ部３との間に腕を通して肩に掛ける。そして腕を下ろすと、図５に示すように、自然と腕の内側で押さえ部３を使用者の胴体の中心方向に押すことになる。これにより、肩掛けベルトＢは取付部４の位置で図５に矢印で示すように胴体の背部中心及び腹部中心側に押しやられ、肩掛けベルトＢは肩から斜め下方ではなくほぼ鉛直方向に掛けた状態となる。
【００２２】
したがって、肩掛けベルトＢに作用するすべる力が大きく低減され、すべり難くなる。また肩を傾けてもベルトＢがすべり落ちることがない。そして、バッグの携行時には、通常は腕の脇を締めているので、押さえ部３に対する押さえが緩むことがない。さらに、この考案によるすべり止め具は、使用者の体に装着するベルトのようなものではないので、外観上も違和感がない。
【００２３】
図６は固定具の別の実施形態を示している。この実施形態では固定具１２は、断面がＳ字状に湾曲した板状のクリップからなる。このクリップは１２は一方の板部分４ａ上に設けられている。板部分４ａにはクリップ１２を挟むように１対の軸受けブラケット１３（図には一方のみを示す）が設けられ、またクリップ１２の中間部の両側部にも１対の軸受けブラケット１４（図には一方のみを示す）が設けられている。これらの軸受けブラケット１３，１４に軸１５が支持されることにより、クリップ１２が回転可能となっている。
【００２４】
軸１５にはねじりコイルバネ１６が設けられている。ねじりコイルバネ１６の一方の自由端側部分１６ａはクリップ１２に設けた開口１７を通ってクリップ１２の裏面に当接し、また他方の自由端側部分１６ｂは開口１７を通って板部分４ａの表面に当接している。これにより、ねじりコイルバネ１５はクリップ１２を図６において反時計方向に付勢している。一方の板部分４ａには、クリップ１２の先端が通過可能な開口１８が設けられている。したがって、クリップ１２はねじりコイルバネ１６によって先端が開口１８を通って他方の板部分４ｂに向けて付勢されている。
【００２５】
肩掛けベルトＢのベルト部分ｂ２を取付部４に固定するには、ねじりコイルバネ１６の付勢力に抗してクリップ１２を押し下げて、図６において時計方向に回転させる。そして取付部４の溝５にベルト部分ｂ２を挿入し、クリップ１２への押し下げを解放する。これにより、クリップ１２が図６において反時計方向に回転し、クリップ１２の先端がベルト部分ｂ２を板部分４ｂに向けて押し付けることになり、ベルト部分ｂ２が取付部４に固定される。
【００２６】
図７は取付部及び固定具の別の実施形態を示している。上記各実施形態では、取付部４はコ字形に形成されたが、この実施形態では取付部４は板状に形成されている。固定具２２は中間に段差を有する板状のクリップからなる。このクリップ２２は取付部４上に設けられている。取付部４にはクリップ２２を挟むように１対の軸受けブラケット２３（図には一方のみを示す）が設けられ、またクリップ２２の中間部の裏面両側部にも１対の軸受けブラケット２４（図には一方のみを示す）が設けられている。これらの軸受けブラケット２３，２４に軸２５が支持されることにより、クリップ２２が回転可能となっている。
【００２７】
軸２５にはねじりコイルバネ２６が設けられている。ねじりコイルバネ２６の一方の自由端側部分２６ａはクリップ２２の裏面に当接し、また他方の自由端側部分２６ｂは取付部４の表面に当接している。これにより、ねじりコイルバネ２６はクリップ２２を図７において反時計方向に付勢している。クリップ２２には取付部４と対向する裏面に半球状の突起２７が設けられている。したがって、クリップ２２はねじりコイルバネ２６によって突起２７が、突起２７と取付部４との間に挿入されたベルト部分ｂ２を取付部４に向けて押し付けるように付勢されている。
【００２８】
肩掛けベルトＢのベルト部分ｂ２を取付部４に固定するには、ねじりコイルバネ２６の付勢力に抗してクリップ２２を押し下げて、図７において時計方向に回転させる。そして取付部４と突起２７との間にベルト部分ｂ２を挿入し、クリップ２２への押し下げを解放する。これにより、クリップ２２が図７において反時計方向に回転し、突起２７がベルト部分ｂ２を取付部４に向けて押し付けることになり、ベルト部分ｂ２が取付部４に固定される。
【符号の説明】
【００２９】
１：本体
２：固定具（ネジ）
３：押さえ部
４：取付部
４ａ，４ｂ：板部分
５：溝
６：ナット
Ｂ：肩掛けベルト
【図１】
0003196392.tif 000003
【図２】
0003196392.tif 000004
【図３】
0003196392.tif 000005
【図４】
0003196392.tif 000006
【図５】
0003196392.tif 000007
【図６】
0003196392.tif 000008
【図７】
0003196392.tif 000009